(57)【要約】【課題】装置を大型化させることなく第三者による給紙カセットからのシートの持ち出しを抑制可能な画像形成装置を提供すること。【解決手段】画像形成装置は、筐体１における正面１Ａに形成された開口１３から前方向Ｄ２１へ引き出される給紙カセット７と、筐体１の内側において筐体１に固定され、上下方向Ｄ１において筐体１に装着された状態の給紙カセット７と対向しており、上下方向Ｄ１に貫通する貫通孔を形成する第１孔部８１と、給紙カセット７に固定され、給紙カセット７が筐体１に装着された状態で第１孔部８１と対向しており、上下方向Ｄ１に貫通する貫通孔を形成する第２孔部８２と、第１孔部８１の貫通孔及び第２孔部８２の貫通孔の両方に挿通される棒状の係合部材８３と、を備える。【選択図】図５
2019108213.tif 000002
【特許請求の範囲】
【請求項１】
自装置の筐体における予め定められた外壁面に形成された開口から前記外壁面に直交する第１方向へ引き出される給紙カセットと、
前記筐体の内側において前記筐体に固定され、前記第１方向と直交する第２方向において前記筐体に装着された状態の前記給紙カセットと対向しており、前記第２方向に貫通する貫通孔を形成する第１孔部と、
前記給紙カセットに固定され、前記給紙カセットが前記筐体に装着された状態で前記第１孔部と対向しており、前記第２方向に貫通する貫通孔を形成する第２孔部と、
前記第１孔部の貫通孔及び前記第２孔部の貫通孔の両方に挿通される棒状の係合部材と、
を備える画像形成装置。
【請求項２】
前記第２孔部は、前記給紙カセットに一体に設けられている、
請求項１に記載の画像形成装置。
【請求項３】
前記第１孔部は、前記筐体に一体に設けられている、
請求項１又は２に記載の画像形成装置。
【請求項４】
前記外壁面における前記開口の上側で開閉可能に設けられるカバー部を備え、
前記第２方向は鉛直方向であって、
前記第１孔部は、前記筐体の内側における前記第１方向の下流側に設けられる、
請求項１〜３のいずれかに記載の画像形成装置。
【請求項５】
前記カバー部と前記第１孔部との間に設けられ、前記第１孔部及び前記第１孔部の貫通孔に挿通された状態の前記係合部材を前記カバー部側から遮蔽する遮蔽部材を備える、
請求項４に記載の画像形成装置。
【請求項６】
前記第２孔部の貫通孔における前記係合部材の挿抜に応じて、前記筐体からの前記給紙カセットの引き出しが規制されている旨を示す第１情報の表示の有無を切り替える表示切替部を備える、
請求項１〜５のいずれかに記載の画像形成装置。
【請求項７】
前記第２孔部は、前記給紙カセットにおける前記筐体からの引き出し方向下流側の壁部に設けられ、
前記表示切替部は、
前記壁部に設けられた窓部を介して前記第１情報を表示可能な第１位置と前記窓部を介して前記第１情報とは異なる第２情報を表示可能な第２位置との間を移動可能に設けられる表示部と、
前記表示部を前記第２位置側へ付勢する第１付勢部と、
前記第２孔部の貫通孔への前記係合部材の挿通に連動して前記表示部を前記第２位置から前記第１位置へ移動させる第１連動部と、を含む、
請求項６に記載の画像形成装置。
【請求項８】
前記第２孔部の貫通孔からの前記係合部材の引き出しに応じて警報音を発する音発生部を備える、
請求項１〜７のいずれかに記載の画像形成装置。
【請求項９】
前記音発生部は、
衝撃の付与に応じて前記警報音を発する音源と、
前記音源に接触可能な第３位置と前記第３位置から退避した第４位置との間を移動可能に設けられる接触部と、
前記接触部を前記第３位置側へ付勢する第２付勢部と、
前記第２孔部の貫通孔への前記係合部材の挿通に連動して前記接触部を前記第３位置から前記第４位置へ移動させる第２連動部と、を含む、
請求項８に記載の画像形成装置。
【請求項１０】
前記音源と前記接触部との接触により前記音源に付与される衝撃の緩衝に用いられる緩衝部材と、
切替操作に連動して前記緩衝部材を前記音源と前記接触部とが接触する第５位置と前記第５位置から退避した第６位置との間で移動させる切替スイッチと、を備える、
請求項９に記載の画像形成装置。
【請求項１１】
前記係合部材は、長手方向における一方の端部に設けられ、前記筐体内部の清掃に用いられる清掃部を有する、
請求項１〜１０のいずれかに記載の画像形成装置。
【発明の詳細な説明】
【技術分野】
【０００１】
本発明は、シートに画像を形成する画像形成装置に関する。
【背景技術】
【０００２】
画像形成装置は、当該画像形成装置の筐体の前面から引出可能な給紙カセットを備える。この画像形成装置では、前記給紙カセットに収容されているシートが画像形成装置の管理者以外の第三者によって持ち出されることがある。これに対し、前記筐体と前記給紙カセットとを係合して前記筐体からの前記給紙カセットの引き出しを規制可能な画像形成装置が知られている。具体的に、前記筐体に設けられた孔部及び前記給紙カセットに設けられた孔部の両方に挿通される挿通部材と、前記挿通部材の両孔部からの引き抜きを規制可能な規制部と、を備える画像形成装置が知られている（特許文献１参照）。
【先行技術文献】
【特許文献】
【０００３】
【特許文献１】特開２００７−２９７１７０号公報
【発明の概要】
【発明が解決しようとする課題】
【０００４】
しかしながら、上述の画像形成装置では、前記規制部を設けるためのスペースの分だけ、装置が大型化する。一方、上述の画像形成装置において前記規制部が設けられない場合には、何人でも容易に前記挿通部材を引き抜いて前記給紙カセットの引き出し規制を解除することが可能となる。そのため、第三者による前記給紙カセットからのシートの持ち出しを抑制することができない。
【０００５】
本発明の目的は、装置を大型化させることなく第三者による給紙カセットからのシートの持ち出しを抑制可能な画像形成装置を提供することにある。
【課題を解決するための手段】
【０００６】
本発明に係る画像形成装置は、給紙カセットと、第１孔部と、第２孔部と、係合部材とを備える。前記給紙カセットは、自装置の筐体における予め定められた外壁面に形成された開口から前記外壁面に直交する第１方向へ引き出される。前記第１孔部は、前記筐体の内側において前記筐体に固定され、前記第１方向と直交する第２方向において前記筐体に装着された状態の前記給紙カセットと対向しており、前記第２方向に貫通する貫通孔を形成する。前記第２孔部は、前記給紙カセットに固定され、前記給紙カセットが前記筐体に装着された状態で前記第１孔部と対向しており、前記第２方向に貫通する貫通孔を形成する。前記係合部材は、棒状であって、前記第１孔部の貫通孔及び前記第２孔部の貫通孔の両方に挿通される。
【発明の効果】
【０００７】
本発明によれば、装置を大型化させることなく第三者による給紙カセットからのシートの持ち出しを抑制することが可能である。
【図面の簡単な説明】
【０００８】
【図１】図１は、本発明の実施形態に係る画像形成装置の構成を示す図である。
【図２】図２は、本発明の実施形態に係る画像形成装置における筐体の内部構成を示す図である。
【図３】図３は、本発明の実施形態に係る画像形成装置における画像形成ユニットの構成を示す図である。
【図４】図４は、本発明の実施形態に係る画像形成装置における給紙カセットの構成を示す図である。
【図５】図５は、本発明の実施形態に係る画像形成装置における係合機構の構成を示す図である。
【図６】図６は、本発明の実施形態に係る画像形成装置における正面カバーの裏側の構成を示す図である。
【図７】図７は、本発明の実施形態に係る画像形成装置におけるトナー収容容器の裏側の構成を示す図である。
【図８】図８は、本発明の実施形態に係る画像形成装置における給紙カセットの内部構成を示す図である。
【図９】図９は、本発明の実施形態に係る画像形成装置における給紙カセットの内部構成を示す図である。
【図１０】図１０は、本発明の実施形態に係る画像形成装置における給紙カセットの内部構成を示す図である。
【図１１】図１１は、本発明の実施形態に係る画像形成装置における給紙カセットの内部構成を示す図である。
【発明を実施するための形態】
【０００９】
以下、添付図面を参照しながら、本発明の実施形態について説明し、本発明の理解に供する。なお、以下の実施形態は、本発明を具体化した一例であって、本発明の技術的範囲を限定するものではない。
【００１０】
［画像形成装置１００の構成］
まず、図１〜図３を参照しつつ、本発明の実施形態に係る画像形成装置１００の構成について説明する。ここで、図１は画像形成装置１００の外観構成を示す斜視図である。また、図２は筐体１の内部構成を示す断面図である。また、図３は画像形成ユニット５１の構成を示す断面図である。
【００１１】
なお、説明の便宜上、画像形成装置１００が使用可能な設置状態（図１に示される状態）で鉛直方向を上下方向Ｄ１と定義する。また、図１に示される画像形成装置１００の紙面左手前側の面を正面（前面）として前後方向Ｄ２を定義する。また、前記設置状態の画像形成装置１００の正面を基準として左右方向Ｄ３を定義する。
【００１２】
画像形成装置１００は、原稿から画像データを読み取るスキャン機能、及び画像データに基づいて画像を形成するプリント機能と共に、ファクシミリ機能、及びコピー機能などの複数の機能を有する複合機である。なお、本発明は、プリンター装置、ファクシミリ装置、及びコピー機などの画像形成装置に適用可能である。
【００１３】
図１及び図２に示されるように、画像形成装置１００は、筐体１、ＡＤＦ２、画像読取部３、操作表示部４、画像形成部５、シート搬送部６、及び給紙カセット７を備える。
【００１４】
図２に示されるように、筐体１は、画像形成部５、シート搬送部６、及び給紙カセット７を収容する。筐体１は略直方体状に形成されている。図１に示されるように、筐体１の上側には、ＡＤＦ２及び画像読取部３が設けられている。また、筐体１の前側には、操作表示部４が設けられている。
【００１５】
図１及び図２に示されるように、筐体１の上部にはシート受け部１１が設けられている。シート受け部１１には、画像形成部５によって画像が印刷されたシートが排出される。また、図１に示されるように、筐体１の前部には正面カバー１２が設けられている。正面カバー１２は、筐体１を囲む外壁面のうち、正面１Ａ（図１参照）の一部を形成しており、筐体１に対して開閉可能に設けられている。例えば、正面カバー１２の左端部には、上下方向Ｄ１に延在する回動軸が設けられている。正面カバー１２は、前記回動軸が筐体１によって回動可能に支持されることで、筐体１に対して開閉される。また、図１に示されるように、筐体１における正面カバー１２の下側には開口部１３が設けられている。開口部１３は、給紙カセット７が挿抜される開口を形成する。ここに、正面１Ａが、本発明における予め定められた外壁面の一例である。また、正面カバー１２が、本発明におけるカバー部の一例である。なお、本発明における予め定められた外壁面は、筐体１を囲む外壁面のうちの背面又はいずれか一方の側面であってもよい。
【００１６】
ＡＤＦ２は、画像読取部３によって読み取られる原稿を搬送する。具体的に、ＡＤＦ２は、原稿セット部、複数の搬送ローラー、原稿押さえ、及び原稿排出部を備える。ＡＤＦ２は、前記原稿セット部に載置された原稿を、画像読取部３による画像データの読み取り位置を経由して、前記原稿排出部へ搬送する。
【００１７】
画像読取部３は、原稿から画像データを読み取る。具体的に、画像読取部３は、原稿台、光源、複数のミラー、光学レンズ、及びＣＣＤを備える。画像読取部３は、前記原稿台に載置された原稿、又はＡＤＦ２によって搬送される原稿から画像データを読み取る。
【００１８】
操作表示部４は、不図示の制御部からの制御指示に応じて各種の情報を表示する液晶ディスプレーなどの表示部、及びユーザーの操作に応じて前記制御部に各種の情報を入力する操作キー又はタッチパネルなどの操作部を有する。
【００１９】
画像形成部５は、画像読取部３で読み取られた画像データに基づいて、電子写真方式でカラー又はモノクロの画像を形成することが可能である。また、画像形成部５は、外部のパーソナルコンピューター等の情報処理装置から入力された画像データに基づいて、画像を形成することも可能である。なお、画像形成部５は、インクジェット方式などの他の画像形成方式によってシートに画像を形成してもよい。
【００２０】
図２に示されるように、画像形成部５は、Ｙ（イエロー）、Ｍ（マゼンタ）、Ｃ（シアン）、及びＫ（ブラック）に対応する複数の画像形成ユニット５１〜５４、光走査装置（ＬＳＵ）５５、中間転写ベルト５６、二次転写ローラー５７、及び定着装置５８を備える。
【００２１】
画像形成ユニット５１〜５４は、中間転写ベルト５６のベルト回転方向Ｄ４（図２及び図３参照）に沿って並設されている。画像形成ユニット５１ではＹ（イエロー）、画像形成ユニット５２ではＭ（マゼンタ）、画像形成ユニット５３ではＣ（シアン）、画像形成ユニット５４ではＫ（ブラック）に対応するトナー像が形成される。
【００２２】
図３に示されるように、画像形成ユニット５１は、感光体ドラム５１１と、感光体ドラム５１１に対応して設けられた帯電部５１２、現像部５１３、一次転写ローラー５１４、及びクリーニング部５１５を備える。なお、画像形成ユニット５２〜５４も同様に構成されているため、ここではそれらの説明を省略する。
【００２３】
感光体ドラム５１１は、トナー像を担持する像担持体である。図３に示されるように、感光体ドラム５１１は、前後方向Ｄ２に延在する回転軸５１１Ａを有する。感光体ドラム５１１は、筐体１によって回転軸５１１Ａが回転可能に支持されることで、回転方向Ｄ５（図３参照）へ回転可能である。
【００２４】
帯電部５１２は、図３に示されるように帯電ローラー５１２Ａを有する。帯電部５１２は、帯電ローラー５１２Ａを用いて、不図示の電源から供給される電力により感光体ドラム５１１を所定電位に帯電させる。そして、帯電部５１２により帯電された感光体ドラム５１１に、光走査装置５５によってレーザー光が照射され、画像データに基づく静電潜像が感光体ドラム５１１の外周面に形成される。
【００２５】
現像部５１３は、トナーを含む現像剤を用いて、感光体ドラム５１１に形成された静電潜像を現像する。なお、現像部５１３各々には、各色に対応する着脱可能なトナーコンテナー５１Ａ、５２Ａ、５３Ａ、５４Ａ（図２参照）からトナーが補給される。
【００２６】
一次転写ローラー５１４は、現像部５１３によって現像された感光体ドラム５１１上のトナー像を中間転写ベルト５６に転写する。中間転写ベルト５６は、画像形成ユニット５１〜５４各々の感光体ドラム５１１の上方を走行し、感光体ドラム５１１各々に形成された各色のトナー像が順次重ね合わせて転写される被転写部材である。中間転写ベルト５６上のトナー像は、二次転写ローラー５７により、シート搬送部６によって搬送されるシートに転写される。その後、シートに転写されたトナー像は、定着装置５８で加熱されてシートに定着する。トナー像が定着したシートは、シート受け部１１に排出される。
【００２７】
クリーニング部５１５は、図３に示されるように、ブレード状のクリーニング部材５１５Ａ及び搬送部材５１５Ｂを有する。クリーニング部５１５は、クリーニング部材５１５Ａを用いて、感光体ドラム５１１の表面を清掃する。クリーニング部材５１５Ａによって感光体ドラム５１１の表面から除去されたトナーは、搬送部材５１５Ｂによって筐体１の正面カバー１２の裏側に設けられたトナー収容容器５０（図５参照）へ搬送される。
【００２８】
シート搬送部６は、画像形成部５によって画像が印刷されるシートを搬送する。具体的に、シート搬送部６は、ピックアップローラー６１及び複数の搬送ローラーを備える。シート搬送部６は、給紙カセット７に収容されたシートを、二次転写ローラー５７によるトナー像の転写位置及び定着装置５８を経由して、シート受け部１１へ搬送する。
【００２９】
［給紙カセット７の構成］
次に、図１、図２、及び図４を参照しつつ、給紙カセット７の構成について説明する。ここで、図４は給紙カセット７の構成を示す斜視図である。
【００３０】
給紙カセット７は、画像形成部５によって画像が印刷されるシートを収容する。例えば、給紙カセット７に収容されるシートには、紙、コート紙、ハガキ、封筒、及びＯＨＰシートなどのシート部材が含まれる。
【００３１】
図４に示されるように、給紙カセット７は、収容部７１、リフト部材７２、後端カーソル７３、一対のサイドカーソル７４、及び把持部７５を備える。
【００３２】
収容部７１は、シートの収容空間を画定する。具体的に、図４に示されるように、収容部７１は、底部７１１、前壁部７１２、後壁部７１３、側壁部７１４、及び側壁部７１５を備える。底部７１１は、左右方向Ｄ３に長尺な矩形状に形成されている。前壁部７１２は、底部７１１の前端部において左右方向Ｄ３に沿って立設されている。後壁部７１３は、底部７１１の後端部において左右方向Ｄ３に沿って立設されている。側壁部７１４は、底部７１１の左端部において前後方向Ｄ２に沿って立設されている。側壁部７１５は、底部７１１の右端部において前後方向Ｄ２に沿って立設されている。収容部７１は、底部７１１、前壁部７１２、後壁部７１３、側壁部７１４、及び側壁部７１５によって上方が開放された箱型形状に形成されている。例えば、収容部７１は樹脂製であって、底部７１１、前壁部７１２、後壁部７１３、側壁部７１４、及び側壁部７１５が一体に形成されている。
【００３３】
前壁部７１２は、給紙カセット７が筐体１に装着された状態で、筐体１の正面１Ａの一部を形成する（図１参照）。前壁部７１２は中空に形成されており、内部空間７６を有する（図５参照）。図１及び図４に示されるように、前壁部７１２の外壁面における右側端部近傍には開口を形成する窓部７１２Ａが設けられている。窓部７１２Ａには、前壁部７１２の内部空間７６に設けられた表示部７６１（図８参照）によって給紙カセット７に関する情報が表示される。例えば、窓部７１２Ａの開口は、内部空間７６側に設けられた透明板によって閉塞されている。
【００３４】
給紙カセット７は、筐体１の開口部１３に形成された開口から筐体１の正面１Ａに直交する前方向Ｄ２１（図１参照）へ引き出し可能に構成されている。具体的に、給紙カセット７は、筐体１の内部において前後方向Ｄ２へスライド移動可能に支持されている。例えば、筐体１の内部には、前後方向Ｄ２に長尺な一対のレールが設けられている。また、収容部７１は、前記一対のレールに係合して給紙カセット７の前後方向Ｄ２へのスライド移動を可能にする一対のレールガイド７１４Ａ、７１５Ａ（図４参照）を備える。一対のレールガイド７１４Ａ、７１５Ａは、前後方向Ｄ２に長尺であって、収容部７１における側壁部７１４、７１５各々に設けられる。これにより、給紙カセット７は、画像形成装置１００に装着された状態（開口部１３に収容された状態）から、前方向Ｄ２１へ引き出すことが可能である。なお、給紙カセット７の移動機構は、前記一対のレール及び一対のレールガイド７１４Ａ、７１５Ａから成るレール支持機構以外のものであってもよい。ここに、前方向Ｄ２１が、本発明における第１方向の一例である。
【００３５】
リフト部材７２は、収容部７１の底部７１１において上下方向Ｄ１に昇降可能に設けられる。リフト部材７２は、給紙カセット７に収容された複数枚のシートのうち、最上位のシートをシート搬送部６のピックアップローラー６１との接触位置まで持ち上げる。
【００３６】
後端カーソル７３は、収容部７１の底部７１１において左右方向Ｄ３に移動可能に設けられる。後端カーソル７３は、給紙カセット７に収容されたシートの左右方向Ｄ３における位置の調整に用いられる。
【００３７】
一対のサイドカーソル７４は、収容部７１の底部７１１において前後方向Ｄ２に移動可能に設けられる。一対のサイドカーソル７４は、給紙カセット７に収容されたシートの前後方向Ｄ２における位置の調整に用いられる。
【００３８】
把持部７５は、給紙カセット７の前壁部７１２の外壁面（前面）に設けられている。前壁部７１２は、給紙カセット７における引き出し方向（図１において前方向Ｄ２１と同方向）の下流側に位置しており、画像形成装置１００の外装部材の一部を構成している。把持部７５は、筐体１に対する給紙カセット７の挿抜に用いられる。
【００３９】
ところで、筐体１と給紙カセット７とを係合して筐体１からの給紙カセット７の引き出しを規制可能な画像形成装置が知られている。具体的に、筐体１に設けられた孔部及び給紙カセット７に設けられた孔部の両方に挿通される挿通部材と、前記挿通部材の両孔部からの引き抜きを規制可能な規制部と、を備える画像形成装置が知られている。この画像形成装置では、給紙カセット７に収容されているシートが当該画像形成装置の管理者以外の第三者によって持ち出されることを抑制することが可能である。
【００４０】
しかしながら、上述の画像形成装置では、前記規制部を設けるためのスペースの分だけ、装置が大型化する。一方、上述の画像形成装置において前記規制部が設けられない場合には、何人でも容易に前記挿通部材を引き抜いて給紙カセット７の引き出し規制を解除することが可能となる。そのため、第三者による給紙カセット７からのシートの持ち出しを抑制することができない。
【００４１】
これに対し、本発明の実施形態に係る画像形成装置１００では、以下に説明するように、装置を大型化させることなく、第三者による給紙カセット７からのシートの持ち出しを抑制することが可能である。
【００４２】
具体的に、画像形成装置１００は、図５に示されるように係合機構８を備える。
【００４３】
［係合機構８の構成］
次に、図１、図４〜図７を参照しつつ、係合機構８の構成について説明する。ここで、図５は図１におけるＶ−Ｖ矢視断面図である。また、図６は正面カバー１２を開いた状態の筐体１の構成を示す斜視図である。また、図７は正面カバー１２を開いた状態であって且つトナー収容容器５０（図５参照）を取り外した状態の筐体１の構成を示す斜視図である。なお、図６及び図７では、ＡＤＦ２の図示が省略されている。
【００４４】
係合機構８は、筐体１と給紙カセット７とを係合して筐体１からの給紙カセット７の引き出しを規制する。図５に示されるように、係合機構８は、第１孔部８１と、第２孔部８２と、係合部材８３とを備える。
【００４５】
第１孔部８１は、筐体１の内側に設けられる。具体的に、図５に示されるように、第１孔部８１は、筐体１における給紙カセット７の収容空間の上側であって、筐体１に装着された給紙カセット７の前壁部７１２と対向する位置に設けられる。第１孔部８１は、上下方向Ｄ１に貫通する貫通孔を形成する。ここに、上下方向Ｄ１が、本発明における第２方向の一例である。
【００４６】
例えば、筐体１は、図７に示される容器支持部１４を備える。容器支持部１４は、筐体１の内部フレームの一部であって、トナー収容容器５０（図６参照）を支持する。図７に示されるように、容器支持部１４は、左右方向Ｄ３に長尺な略平板状に形成されている。図５に示されるように、容器支持部１４は、筐体１における給紙カセット７の収容空間の上側であって、筐体１に装着された給紙カセット７の前壁部７１２と対向する位置に設けられている。
【００４７】
図５及び図７に示されるように、第１孔部８１は容器支持部１４に一体に設けられる。具体的に、第１孔部８１は、容器支持部１４に上下方向Ｄ１に貫通する貫通孔を開けることによって、容器支持部１４に一体に設けられる。図７に示されるように、第１孔部８１は、容器支持部１４における右側端部近傍に設けられる。なお、第１孔部８１は、筐体１の内部フレームにビス留めなどの固定方法によって固定された部材であってもよい。
【００４８】
第２孔部８２は、給紙カセット７に設けられる。具体的に、図５に示されるように、第２孔部８２は、給紙カセット７における給紙カセット７が筐体１に装着された状態で第１孔部８１と対向する位置に設けられる。第２孔部８２は、上下方向Ｄ１に貫通する貫通孔を形成する。
【００４９】
図４及び図５に示されるように、第２孔部８２は前壁部７１２に一体に設けられる。具体的に、第２孔部８２は、前壁部７１２の上面７１２Ｂに上下方向Ｄ１に貫通する貫通孔を開けることによって、前壁部７１２に一体に設けられる。なお、前壁部７１２の上面７１２Ｂにおける前後方向Ｄ２の中央部には段差が形成されている。これにより、上面７１２Ｂにおける当該段差よりも後方側は、前方側よりも低い位置に存在する（図５参照）。例えば、第２孔部８２は、上面７１２Ｂにおける前記段差よりも後方側に設けられる。図４に示されるように、第２孔部８２は、前壁部７１２における右側端部近傍に設けられる。なお、第２孔部８２は、給紙カセット７の収容部７１にビス留めなどの固定方法によって固定された部材であってもよい。
【００５０】
係合部材８３は、筐体１と給紙カセット７との係合に用いられる。具体的に、図５及び図７に示されるように、係合部材８３は棒状に形成されている。係合部材８３は、第１孔部８１の貫通孔及び筐体１に装着された状態の給紙カセット７の第２孔部８２の貫通孔の両方に挿通される。第１孔部８１の貫通孔及び第２孔部８２の貫通孔の両方は、係合部材８３を挿通可能なサイズで形成される。係合部材８３が第１孔部８１の貫通孔及び第２孔部８２の貫通孔の両方に挿通されることで、筐体１と給紙カセット７とが係合されて、筐体１からの給紙カセット７の引き出しが規制される。
【００５１】
例えば、係合部材８３は、図５及び図７に示されるように清掃部８３Ａを有する。清掃部８３Ａは、係合部材８３における長手方向の一方の端部に設けられ、筐体１の内部の清掃に用いられる。換言すると、画像形成装置１００では、係合部材８３が筐体１内部の清掃に用いられる清掃部材を兼ねている。なお、係合部材８３は、清掃部８３Ａを有していなくてもよい。
【００５２】
ここで、画像形成装置１００では、図５及び図７に示されるように、第１孔部８１が筐体１の内側における前方向Ｄ２１の下流側（正面１Ａ側）に設けられている。また、画像形成装置１００では、図１及び図５に示されるように、筐体１における前方向Ｄ２１の下流側の端部に正面カバー１２が設けられている。即ち、画像形成装置１００では、第１孔部８１が筐体１に対して開閉可能な正面カバー１２の近傍に設けられている。そのため、第１孔部８１が正面カバー１２から離れた位置に設けられる場合と比較して、第１孔部８１の貫通孔への係合部材８３の挿通を容易に行うことが可能である。
【００５３】
また、画像形成装置１００では、トナー収容容器５０によって第１孔部８１及び第１孔部８１の貫通孔に挿通された状態の係合部材８３が正面カバー１２側から遮蔽されている（図６参照）。具体的に、画像形成装置１００では、図５に示されるように、トナー収容容器５０が正面カバー１２と第１孔部８１との間に設けられている。また、図６及び図７に示されるように、トナー収容容器５０は、第１孔部８１に挿通された状態の係合部材８３を正面カバー１２側から覆うことが可能なサイズで形成されている。これにより、第１孔部８１及び第１孔部８１の貫通孔に挿通された状態の係合部材８３を遮蔽する部材が設けられない場合と比較して、係合機構８が画像形成装置１００の管理者とは異なる第三者によって発見されにくくなる。ここに、トナー収容容器５０が本発明における遮蔽部材の一例である。なお、本発明における遮蔽部材は、トナー収容容器５０とは異なる部材であってもよい。また、画像形成装置１００において、本発明における遮蔽部材に対応する部材は設けられていなくてもよい。
【００５４】
なお、係合機構８は、筐体１の内側における筐体１の背面側、又は筐体１のいずれか一方の側面側に設けられていてもよい。また、第１孔部８１及び第２孔部８２の両方は、左右方向Ｄ３に貫通する貫通孔を形成していてもよい。
【００５５】
［給紙カセット７の内部構成］
次に、図４、図６、図７、図８〜図１１を参照しつつ、給紙カセット７の前壁部７１２の内部構成について説明する。ここで、図８及び図９は前壁部７１２の右側端部における構成を示す平面図である。図８では緩衝部材７６６が第６位置Ｐ６に配置された状態が示されている。また、図９では緩衝部材７６６が第５位置Ｐ５に配置された状態が示されている。また、図１０は図８におけるＸ−Ｘ矢視断面図である。また、図１１は図１０に示された前壁部７１２において係合部材８３が第２孔部８２の貫通孔に挿通された状態を示す図である。なお、図８及び図９には、音源７６４の図示が省略されている。
【００５６】
図８及び図１０に示されるように、前壁部７１２の内部空間７６には、表示部７６１、付勢部材７６２、レバー部７６３、音源７６４、接触部７６５、緩衝部材７６６、及び切替スイッチ７６７が設けられている。
【００５７】
表示部７６１は、第１位置Ｐ１（図１１参照）と第２位置Ｐ２（図１０参照）との間を移動可能に設けられる。ここで、第１位置Ｐ１は、表示部７６１が給紙カセット７の前壁部７１２に設けられた窓部７１２Ａ（図１参照）を介して、筐体１からの給紙カセット７の引き出しが規制されている旨を示す第１情報を表示可能な位置である。また、第２位置Ｐ２は、窓部７１２Ａを介して、前記第１情報とは異なる第２情報を表示可能な位置である。
【００５８】
例えば、表示部７６１はローラー状に形成されている。表示部７６１は、内部空間７６における上面７１２Ｂの前記段差より前方側の下方であって、窓部７１２Ａに対向する位置に配置される。図８に示されるように、表示部７６１は、左右方向Ｄ３に延在する回動軸７６１Ａを備える。表示部７６１は、回動軸７６１Ａが前壁部７１２によって回転可能に支持されることで、回動軸７６１Ａを中心に第１位置Ｐ１と第２位置Ｐ２との間を回動可能である。
【００５９】
図１０に示されるように、表示部７６１は、第１シール部材７６１Ｂ及び第２シール部材７６１Ｃを備える。第１シール部材７６１Ｂには、前記第１情報が表示されている。例えば、前記第１情報は、「ＬＯＣＫ」などの、筐体１からの給紙カセット７の引き出しが規制されている旨を示す文字情報である。第２シール部材７６１Ｃには、前記第２情報が表示されている。例えば、前記第２情報は、「Ａ４」などの、給紙カセット７に収容されるシートのサイズを示す文字情報である。なお、前記第２情報は、給紙カセット７に収容されるシートの色、又は種類などを示す文字情報であってもよい。
【００６０】
第１シール部材７６１Ｂ及び第２シール部材７６１Ｃは、表示部７６１の周面において表示部７６１の回動方向に沿って並んで貼付されている。具体的に、第１シール部材７６１Ｂは、表示部７６１の周面上の、表示部７６１が第１位置Ｐ１に配置された状態で窓部７１２Ａと対向する位置（図１１参照）に貼付されている。また、第２シール部材７６１Ｃは、表示部７６１の周面上の、表示部７６１が第２位置Ｐ２に配置された状態で窓部７１２Ａと対向する位置（図１０参照）に貼付されている。
【００６１】
付勢部材７６２は、表示部７６１を第２位置Ｐ２側へ付勢する。
【００６２】
具体的に、付勢部材７６２は、一方の端部が表示部７６１の回動軸７６１Ａに固定され、他方の端部が前壁部７１２に固定されたねじりコイルばねである。表示部７６１は、付勢部材７６２によって、図１０に示される付勢方向Ｄ６に付勢される。なお、表示部７６１の第２位置Ｐ２よりも付勢方向Ｄ６の下流側への移動は、接触部７６５が音源７６４と接触することで係止される（図１０参照）。
【００６３】
レバー部７６３は、第２孔部８２の貫通孔への係合部材８３の挿通に連動して、表示部７６１を第２位置Ｐ２から第１位置Ｐ１へ移動させる。
【００６４】
例えば、レバー部７６３は、図８及び図１０に示されるように、表示部７６１の回動軸７６１Ａから回動軸７６１Ａの延在方向に直交する方向へ延出して設けられる。具体的に、レバー部７６３は、回動軸７６１Ａにおける第２孔部８２の貫通孔に挿通された係合部材８３と対向する位置から第２孔部８２側へ延出して設けられる。また、レバー部７６３は、内部空間７６における第２孔部８２の貫通孔に挿通される際の係合部材８３の移動経路を横切るように、回動軸７６１Ａから延出している。そのため、レバー部７６３は、係合部材８３が第２孔部８２の貫通孔に挿通された場合に係合部材８３と接触して、係合部材８３によって付勢方向Ｄ６とは逆方向に回動される。
【００６５】
表示部７６１、付勢部材７６２、及びレバー部７６３は、表示切替部９（図８参照）を構成する。表示切替部９は、第２孔部８２の貫通孔における係合部材８３の挿抜に応じて、前記第１情報の表示の有無を切り替える。ここに、付勢部材７６２が、本発明における第１付勢部の一例である。また、レバー部７６３が、本発明における第１連動部の一例である。
【００６６】
具体的に、図１０及び図１１に示されるように、係合部材８３が第２孔部８２の貫通孔に挿通されると、係合部材８３によってレバー部７６３が付勢方向Ｄ６とは逆方向に回動される。これにより、表示部７６１が第２位置Ｐ２から第１位置Ｐ１へ移動して、表示部７６１の第１シール部材７６１Ｂに表示された前記第１情報が窓部７１２Ａを介して外部に表示される。一方、係合部材８３が第２孔部８２の貫通孔から引き抜かれると、付勢部材７６２の付勢力によってレバー部７６３が付勢方向Ｄ６に回動される。これにより、表示部７６１が第１位置Ｐ１から第２位置Ｐ２へ移動して、表示部７６１の第２シール部材７６１Ｃに表示された前記第２情報が窓部７１２Ａを介して外部に表示される。従って、画像形成装置１００の管理者は、給紙カセット７の筐体１からの引き出しが係合機構８によって規制されているか否かを一目で確認することが可能である。
【００６７】
なお、表示切替部９の構成は、以上に述べたものとは異なるものであってよい。例えば、表示部７６１は、内部空間７６において左右方向Ｄ３に移動可能に設けられていてもよい。この場合、表示部７６１は左右方向Ｄ３に長尺に形成される。また、第１シール部材７６１Ｂ及び第２シール部材７６１Ｃは、表示部７６１における窓部７１２Ａとの対向面において、左右方向Ｄ３に沿って並んで貼付される。また、付勢部材７６２は、表示部７６１を左右方向Ｄ３のいずれか一方側へ付勢する。また、内部空間７６には、レバー部７６３に替えて、第２孔部８２の貫通孔への係合部材８３の挿通に連動して、表示部７６１を付勢部材７６２による付勢方向とは逆方向に移動させるスライドカムが設けられる。
【００６８】
また、表示切替部９は、前記制御部であってもよい。例えば、前記制御部は、第２孔部８２の貫通孔への係合部材８３の挿通を検出可能なセンサーを用いて、操作表示部４における前記第１情報の表示の有無を切り替えてもよい。
【００６９】
また、画像形成装置１００は、表示切替部９を備えていなくてもよい。
【００７０】
音源７６４は、衝撃の付与に応じて警報音を発する。例えば、音源７６４は鐘である。例えば、音源７６４は、図１０及び図１１に示されるように、内部空間７６における天井に設けられる。
【００７１】
接触部７６５は、第３位置Ｐ３（図１０参照）と、第４位置Ｐ４（図１１参照）との間を移動可能に設けられる。ここで、第３位置Ｐ３は、接触部７６５が音源７６４と接触可能な位置である。また、第４位置Ｐ４は、第３位置Ｐ３から退避した位置である。
【００７２】
例えば、接触部７６５は、図８及び図１０に示されるように、表示部７６１の回動軸７６１Ａから回動軸７６１Ａの延在方向に直交する方向へ延出して設けられる。具体的に、接触部７６５は、表示部７６１が第２位置Ｐ２に配置された状態で音源７６４と接触し、表示部７６１が第１位置Ｐ１に配置された状態で音源７６４から離間するように、回動軸７６１Ａから延出して設けられる。換言すると、付勢部材７６２は、表示部７６１を第２位置Ｐ２側へ付勢するとともに、接触部７６５を第３位置Ｐ３側へ付勢する。また、レバー部７６３は、第２孔部８２の貫通孔への係合部材８３の挿通に連動して、表示部７６１を第２位置Ｐ２から第１位置Ｐ１へ移動させるとともに、接触部７６５を第３位置Ｐ３から第４位置Ｐ４へ移動させる。
【００７３】
付勢部材７６２、レバー部７６３、音源７６４、及び接触部７６５は、音発生部１０（図１０参照）を構成する。音発生部１０は、第２孔部８２の貫通孔からの係合部材８３の引き出しに応じて警報音を発する。ここに、付勢部材７６２が、本発明における第２付勢部の一例である。また、レバー部７６３が、本発明における第２連動部の一例である。なお、本発明における第１付勢部及び第２付勢部は、別々の部材によって構成されていてもよい。また、本発明における第１連動部及び第２連動部は、別々の部材によって構成されていてもよい。
【００７４】
具体的に、図１０及び図１１に示されるように、係合部材８３が第２孔部８２の貫通孔に挿通されると、係合部材８３によってレバー部７６３が付勢方向Ｄ６とは逆方向に回動される。これにより、接触部７６５が第３位置Ｐ３から第４位置Ｐ４へ移動する。一方、係合部材８３が第２孔部８２の貫通孔から引き抜かれると、付勢部材７６２の付勢力によってレバー部７６３が付勢方向Ｄ６に回動される。これにより、接触部７６５が第４位置Ｐ４から第３位置Ｐ３へ移動して、音源７６４と接触部７６５との接触時に音源７６４に付与される衝撃によって音源７６４が警報音を発する。そのため、画像形成装置１００の周囲にいる人の注目が画像形成装置１００に集まる。従って、第２孔部８２の貫通孔から係合部材８３を引き抜いた者が画像形成装置１００の管理者とは異なる第三者である場合に、当該第三者にシートの持ち出しを思いとどまらせることが可能である。
【００７５】
なお、音発生部１０の構成は、以上に述べたものとは異なるものであってよい。例えば、接触部７６５は、表示部７６１と共に内部空間７６において左右方向Ｄ３に移動可能に設けられていてもよい。
【００７６】
また、音発生部１０は、前記制御部であってもよい。例えば、前記制御部は、第２孔部８２の貫通孔からの係合部材８３の引き抜きを検出可能なセンサーを用いて、電子ブザーの鳴動の有無を切り替えてもよい。
【００７７】
また、画像形成装置１００は、音発生部１０を備えていなくてもよい。
【００７８】
緩衝部材７６６は、音源７６４と接触部７６５との接触により音源７６４に付与される衝撃の緩衝に用いられる。例えば、緩衝部材７６６はスポンジ状の部材である。
【００７９】
切替スイッチ７６７は、切替操作に連動して、緩衝部材７６６を第５位置Ｐ５（図９参照）と第６位置Ｐ６（図８参照）との間で移動させる。ここで、第５位置Ｐ５は、音源７６４と接触部７６５とが接触する位置である。また、第６位置Ｐ６は、第５位置Ｐ５から退避した位置である。例えば、図８及び図９に示されるように、第５位置Ｐ５及び第６位置Ｐ６は左右方向Ｄ３に離間した位置である。
【００８０】
例えば、切替スイッチ７６７は、図１０に示されるように、支持部７６７Ａ及び操作部７６７Ｂを備える。支持部７６７Ａは、内部空間７６において左右方向Ｄ３に移動可能に設けられ、緩衝部材７６６を支持する。緩衝部材７６６は、支持部７６７Ａによって、第５位置Ｐ５と第６位置Ｐ６との間を移動される。操作部７６７Ｂは、支持部７６７Ａから上方向に突出して設けられる。
【００８１】
ここで、前壁部７１２の上面７１２Ｂには、内部空間７６に通じる開口部７１２Ｃ（図４参照）が設けられている。操作部７６７Ｂは、開口部７１２Ｃから内部空間７６の外部へ突出して設けられる。前記切替操作は、操作部７６７Ｂを開口部７１２Ｃ内で左右方向Ｄ３に移動させる操作である。
【００８２】
また、筐体１の容器支持部１４には、上下方向Ｄ１に貫通する第３孔部１５（図７参照）が設けられている。具体的に、第３孔部１５は、容器支持部１４における筐体１に装着された状態の給紙カセット７の開口部７１２Ｃと対向する位置に設けられる。第３孔部１５は、上下方向Ｄ１に貫通する貫通孔を形成する。なお、操作部７６７Ｂは、筐体１に対する給紙カセット７の挿抜時に容器支持部１４に抵触しないように、給紙カセット７の開口部７１２Ｃから予め定められた距離だけ上方へ突出して設けられる。
【００８３】
例えば、画像形成装置１００の管理者は、係合機構８による給紙カセット７の引き出し規制を解除する場合、まず正面カバー１２を開けて、トナー収容容器５０を外部に露出させる（図６参照）。次に、トナー収容容器５０を取り外して、第１孔部８１、係合部材８３、及び第３孔部１５を外部に露出させる（図７参照）。次に、第３孔部１５に棒状部材などを挿通して、容器支持部１４の下側に存在する切替スイッチ７６７の操作部７６７Ｂを操作し、緩衝部材７６６を第６位置Ｐ６から第５位置Ｐ５へ移動させる。そして、係合部材８３を第１孔部８１の貫通孔から引き出す。以上の手順に従うことで、画像形成装置１００の管理者は、係合機構８による給紙カセット７の引き出し規制を解除する際に音発生部１０で発生する警報音の音量を低減させることが可能である。
【００８４】
なお、音発生部１０が前記制御部である場合、前記制御部は、管理者が画像形成装置１００にログインしているか否かに応じて、第２孔部８２の貫通孔から係合部材８３が引き抜かれた場合の前記電子ブザーの鳴動の許否を判断してもよい。例えば、前記制御部は、管理者が画像形成装置１００にログインしている場合に、前記電子ブザーの鳴動を禁止する。また、前記制御部は、給紙カセット７の収容部７１にシートが存在するか否かに応じて、第２孔部８２の貫通孔から係合部材８３が引き抜かれた場合の前記電子ブザーの鳴動の許否を判断してもよい。例えば、前記制御部は、給紙カセット７の収容部７１にシートが存在しない場合に、前記電子ブザーの鳴動を禁止する。
【００８５】
また、画像形成装置１００は、緩衝部材７６６及び切替スイッチ７６７を備えていなくてもよい。
【００８６】
このように、画像形成装置１００では、第１孔部８１の貫通孔及び第２孔部８２の貫通孔からの係合部材８３の引き抜きを規制するための規制部が設けられる代わりに、筐体１の内側に係合機構８が設けられている。これにより、装置を大型化させることなく、第三者による給紙カセット７からのシートの持ち出しを抑制することが可能である。
【符号の説明】
【００８７】
１    筐体
２    ＡＤＦ
３    画像読取部
４    操作表示部
５    画像形成部
６    シート搬送部
７    給紙カセット
８    係合機構
９    表示切替部
１０  音発生部
１１  シート受け部
１２  正面カバー
１３  開口部
１４  容器支持部
１５  第３孔部
７１  収容部
７２  リフト部材
７３  後端カーソル
７４  サイドカーソル
７５  把持部
７６  内部空間
８１  第１孔部
８２  第２孔部
８３  係合部材
１００  画像形成装置
７１２  前壁部
７６１  表示部
７６２  付勢部材
７６３  レバー部
７６４  音源
７６５  接触部
７６６  緩衝部材
７６７  切替スイッチ
【図１】
2019108213.tif 000003
【図２】
2019108213.tif 000004
【図３】
2019108213.tif 000005
【図４】
2019108213.tif 000006
【図５】
2019108213.tif 000007
【図６】
2019108213.tif 000008
【図７】
2019108213.tif 000009
【図８】
2019108213.tif 000010
【図９】
2019108213.tif 000011
【図１０】
2019108213.tif 000012
【図１１】
2019108213.tif 000013